(57)【要約】      （修正有）【課題】用紙処理手段を待機位置から用紙処理位置に移動させるとき、その用紙処理手段が動き始めてから待機位置検出手段によって用紙処理手段が検知されなくなった時点まで遅れ時間が生じる場合であっても、用紙処理が行われた用紙の生産性を低下させることなく、高い位置精度で用紙処理を行うことができる用紙処理装置及び画像形成システムを提供する。【解決手段】ステープラ２６３の移動経路における待機位置と綴じ位置との間の距離と、ステープラ２６３が動き始めてからステープラポジションセンサ２７３によってステープラ２６３が検知されなくなる時点までの遅れ時間に相当するステープラ２６３の移動距離（Ｄ１Ａ−Ｄ１Ｂ）とに基づいて、綴じ位置に対する目標移動量を決定する。【選択図】図６
2014088233.tif 000002
【特許請求の範囲】
【請求項１】
待機位置と用紙を処理する用紙処理位置との間を移動可能に構成された用紙処理手段と、
前記用紙処理手段を前記待機位置と前記用紙処理位置との間で移動させる移動手段と、
前記待機位置に位置する前記用紙処理手段を検出する待機位置検出手段と、
前記待機位置から前記用紙処理位置に前記用紙処理手段を移動させるとき、前記用紙処理手段が動き始めた後に前記待機位置検出手段によって前記用紙処理手段が検知されなくなった時点から、前記用紙処理位置に対応する目標移動量だけ所定の移動速度Ｖ１で前記用紙処理手段を移動させるように、前記移動手段を制御する制御手段と、を備えた用紙処理装置であって、
前記制御手段は、前記用紙処理手段の移動経路における前記待機位置と前記用紙処理位置との間の距離と、前記用紙処理手段が動き始めてから前記待機位置検出手段によって前記用紙処理手段が検知されなくなる時点までの遅れ時間に相当する前記用紙処理手段の移動距離とに基づいて、前記用紙処理位置に対する目標移動量を決定することを特徴とする用紙処理装置。
【請求項２】
請求項１の用紙処理装置において、
前記用紙処理手段の移動量を記憶する記憶手段を備え、
前記制御手段は、
前記用紙処理手段が動き始めた後に前記待機位置検出手段によって前記用紙処理手段が検知されなくなった時点を基準にして、前記待機位置から任意の補正用目標移動量Ｄ１だけ前記移動速度Ｖ１で前記用紙処理手段を移動させ、その移動後の位置から、前記遅れ時間が発生しない程度まで前記移動速度Ｖ１よりも低く設定した基準速度Ｖ２で前記待機位置まで前記用紙処理手段を移動させたときの移動量Ｄ１Ａを、前記記憶手段に記憶させ、
前記用紙処理手段が動き始めた後に前記待機位置検出手段によって前記用紙処理手段が検知されなくなった時点を基準にして、前記待機位置から前記補正用目標移動量Ｄ１だけ前記基準速度Ｖ２で前記用紙処理手段を移動させ、その移動後の位置から前記基準速度Ｖ２で前記待機位置まで前記用紙処理手段を移動させたときの移動量Ｄ１Ｂを、前記記憶手段に記憶させ、
前記記憶手段に記憶している前記移動量Ｄ１Ａと前記移動量Ｄ１Ｂとの差分に基づいて、前記遅れ時間に相当する前記用紙処理手段の移動距離を算出することを特徴とする用紙処理装置。
【請求項３】
請求項２の用紙処理装置において、
前記制御手段は、前記移動量Ｄ１Ａ及び移動量Ｄ１Ｂを前記記憶手段に記憶させる動作を、当該用紙処理装置の電源ＯＮ時に実行することを特徴とする用紙処理装置。
【請求項４】
請求項２の用紙処理装置において、
前記制御手段は、前記移動量Ｄ１Ａ及び移動量Ｄ１Ｂを前記記憶手段に記憶させる動作を、前記用紙の処理が完了した後の停止制御時に実行することを特徴とする用紙処理装置。
【請求項５】
請求項１、２、３又は４の用紙処理装置において、
前記移動手段は、前記用紙処理手段の移動を案内する案内部材と、前記用紙処理手段の前記案内部材で案内される位置とは異なる位置を駆動するように設けられた駆動手段と、を備え、
前記待機位置検出手段は、前記用紙処理手段が前記待機位置に位置するとき、前記用紙処理手段の前記案内部材で案内される位置を間にして前記駆動手段で駆動される駆動部とは反対側に設けられた被検知部を検知するように設けられていることを特徴とする用紙処理装置。
【請求項６】
請求項１、２、３、４又は５の用紙処理装置において、
前記用紙処理手段は、複数の用紙からなる用紙束に綴じ処理を行う綴じ手段であることを特徴とする用紙処理装置。
【請求項７】
用紙に画像を形成する画像形成装置と、前記画像形成装置で画像が形成された用紙を処理可能な請求項１、２、３、４、５又は６の用紙処理装置と、を備えたことを特徴とする画像形成システム。
【発明の詳細な説明】
【技術分野】
【０００１】
本発明は、用紙を処理する用紙処理装置及びその用紙処理装置を備えた画像形成システムに関するものである。
【背景技術】
【０００２】
従来、画像形成装置から排出された複数枚の用紙からなる用紙束について、用紙整合手段によって用紙搬送方向および用紙幅方向（用紙搬送方向と直交する方向）に用紙束を整合し、用紙束に対して穿孔や綴じ処理などの所定の用紙後処理を施して排出する用紙処理装置が知られている。このような用紙処理装置において行う綴じ処理としては、例えば用紙処理手段としての綴じ手段であるステープラを固定で配置し、用紙束の１箇所に綴じ処理を行うものや、ステープラが所定の綴じ位置に移動して用紙束の１箇所または２箇所に綴じ処理を行うものが知られている。例えば、特許文献１には、１台のステープラで用紙束の任意の箇所をステープルで綴じることができ、構成を簡素化して紙詰まりの発生を防止する目的でステープラが用紙搬送方向と交差する横方向に移動可能な伝票処理装置が開示されている。
【発明の概要】
【発明が解決しようとする課題】
【０００３】
しかしながら、上記従来の用紙処理装置では、ステープラをホームポジション（待機位置）から綴じ位置に移動させる制御において、ステープラが移動している最中の傾き状態については考慮されていない。例えば、ステープラを移動させる構成として、正逆転可能なモータによりタイミングベルトを介してステープラをガイド軸に沿って移動させ、ステープラに取り付けられたフィラー（被検知部）をホームポジションセンサ（待機位置検知手段）で検知する構成が知られている。この構成の用紙処理装置では、ステープラに取り付けられたフィラーがホームポジションセンサの検知位置を抜けると、ホームポジションセンサがステープラを検知しなくなったセンサＯＦＦ状態になる。このセンサＯＦＦ状態になってから所定の目標移動量だけステープラを移動させることにより、ステープラを所定の綴じ位置に停止させることができる。このような構成では、ガイド軸と、ガイド軸を通すためのステープラ軸受部の遊びやガタツキにより、ステープラが傾く可能性がある。また、ステープラは綴じ動作を行うためのモータや綴じ処理を行うための針シートを備えるため重量があり、移動時に慣性力が大きく働く。そのため、ステープラのタイミングベルトが固定されている駆動箇所と、センサフィラーが配置されている検知箇所とが離れていると、慣性によって、ステープラの駆動箇所と、センサフィラーが配置されている検知箇所とが動き始めるタイミングに差異が生じる。このタイミングの差異は、特にステープラを高速で動かそうとした場合に大きくなる。最初にステープラとタイミングベルトを固定している駆動箇所が動き始め、センサフィラーが配置されている検知箇所は遅れて追従するため、ステープラは一時的に傾くことになる。この傾きにより、ステープラのセンサフィラーが配置されている検知箇所が、ステープラのタイミングベルトが固定されている駆動箇所よりも遅れて移動し始める。このように検知箇所の移動が遅れた状態で、ホームポジションセンサがＯＦＦした時点（以下「センサＯＦＦタイミング」という。）からステープラを所定の目標移動量だけ移動させると、綴じ位置ズレが生じてしまう。すなわち、ステープラの移動を停止して傾きが解消された際、センサＯＦＦタイミングが遅れた分、ステープラが移動する移動量が狙いより多くなり、ステープラの綴じ位置ズレ（用紙処理位置ズレ）が生じてしまう。一方、このステープラの傾きを抑制するためにステープラの移動速度を低くすると、ステープラが綴じ位置に移動するための時間が長くなり、処理済み用紙の生産性が低下してしまう。
【０００４】
なお、前述の用紙処理位置ズレ及び処理済み用紙の生産性の低下という課題は、ステープラ（綴じ手段）以外の用紙処理手段を備えた場合にも同様に発生し得るものである。例えば、前記課題は、綴じ手段以外の穿孔などの他の用紙処理を行う用紙処理手段を待機位置から所定の処理位置に移動させる構成においても同様に発生し得るものである。
【０００５】
本発明は以上の問題点に鑑みなされたものであり、その目的は、用紙処理手段を待機位置から用紙処理位置に移動させるとき、その用紙処理手段が動き始めてから待機位置検出手段によって用紙処理手段が検知されなくなった時点まで遅れ時間が生じる場合であっても、用紙処理が行われた用紙の生産性を低下させることなく、高い位置精度で用紙処理を行うことができる用紙処理装置及び画像形成システムを提供する。
【課題を解決するための手段】
【０００６】
本発明に係る用紙処理装置は、待機位置と用紙を処理する用紙処理位置との間を移動可能に構成された用紙処理手段と、前記用紙処理手段を前記待機位置と前記用紙処理位置との間で移動させる移動手段と、前記待機位置に位置する前記用紙処理手段を検出する待機位置検出手段と、前記待機位置から前記用紙処理位置に前記用紙処理手段を移動させるとき、前記用紙処理手段が動き始めた後に前記待機位置検出手段によって前記用紙処理手段が検知されなくなった時点から、前記用紙処理位置に対応する目標移動量だけ所定の移動速度Ｖ１で前記用紙処理手段を移動させるように、前記移動手段を制御する制御手段と、を備えた用紙処理装置であって、前記制御手段は、前記用紙処理手段の移動経路における前記待機位置と前記用紙処理位置との間の距離と、前記用紙処理手段が動き始めてから前記待機位置検出手段によって前記用紙処理手段が検知されなくなる時点までの遅れ時間に相当する前記用紙処理手段の移動距離とに基づいて、前記用紙処理位置に対する目標移動量を決定することを特徴とするものである。
【発明の効果】
【０００７】
本発明によれば、待機位置から用紙処理位置に用紙処理手段を移動させるとき、用紙処理手段が動き始めた後に待機位置検出手段によって用紙処理手段が検知されなくなった時点から、用紙処理位置に対応する目標移動量だけ移動速度Ｖ１で用紙処理手段を移動させる。このときの移動速度Ｖ１を、処理済み用紙の生産性を低下させないように高めにすると、用紙処理手段が動き始めてから待機位置検出手段によって用紙処理手段が検知されなくなる時点まで遅れ時間が発生するおそれがある。この遅れ時間が発生している間にも用紙処理手段は用紙処理位置に向かって移動する。このため、用紙処理手段が検知されなくなった時点から用紙処理手段を用紙処理位置まで移動させる目標移動量は、用紙処理手段の移動経路における待機位置と用紙処理位置との間の距離よりも、上記遅れ時間に相当する距離だけ短くなる。そこで、用紙処理手段が検知されなくなった時点からの目標移動量を、用紙処理手段の移動経路における待機位置と用紙処理位置との間の距離と前記遅れ時間に相当する用紙処理手段の移動距離とに基づいて決定する。このように決定した目標移動量だけ、用紙処理手段が検知されなくなる時点から用紙処理手段を上記移動速度Ｖ１で移動させることにより、用紙処理位置に用紙処理手段を精度よく位置させることができる。従って、用紙処理手段が動き始めてから待機位置検出手段によって用紙処理手段が検知されなくなった時点までに遅れが生じる場合であっても、用紙処理が行われた用紙の生産性を低下させることなく、高い位置精度で用紙処理を行うことができる。
【図面の簡単な説明】
【０００８】
【図１】本発明の実施形態に係る画像形成システムの一構成例を示す概略構成図。
【図２】本実施形態の画像形成システムを構成する用紙処理装置の内部及びその周辺の一構成例を示す概略構成図。
【図３】（ａ）〜（ｄ）は用紙処理装置のステープルモードにおける用紙受入れ・整合処理の一例を示す説明図。
【図４】用紙処理装置のステープラを移動させる移動手段の一例を示す説明図。
【図５】用紙処理装置のステープラの移動制御を行う制御系の要部構成の一例を示すブロック図。
【図６】（ａ）〜（ｇ）はステープラを綴じ位置移動速度Ｖ１及び基準速度Ｖ２でそれぞれ移動させたときのステープラの挙動について示す説明図。
【図７】ステープラの補正用の移動量Ｄ１Ａ、Ｄ１Ｂを記憶させるときのより詳細な処理シーケンスを示すフローチャート。
【図８】補正用の移動量Ｄ１Ａ、Ｄ１Ｂを用いて決定した目標移動量に基づいてステープラ２６３を所定の綴じ位置に移動させるときの制御の一例を示すフローチャート。
【図９】本実施形態の画像形成システムにおける電源ＯＮ時の初期動作の制御例を示すフローチャート。
【図１０】本実施形態の画像形成システムにおける通紙完了後の停止動作の制御例を示すフローチャート。
【発明を実施するための形態】
【０００９】
以下、図面を参照して本発明の実施形態について説明する。
図１は、本発明の実施形態に係る画像形成システムの一構成例を示す概略構成図である。図１において、本実施形態に係る画像形成システムは、画像形成装置１００と用紙処理装置２００と画像読み取り装置３００とを備えている。
【００１０】
画像形成装置１００は、中間転写体を用いた間接転写方式のタンデム型カラー画像形成装置である。画像形成装置１００のほぼ中央部には、トナー像形成手段としての作像部１１０が配置されている。作像部１１０は、所定方向に並ぶように配置された４色（Ｙ：イエロー、Ｍ：マゼンタ、Ｃ：シアン、Ｋ：ブラック）の作像ステーション１１１Ｙ，１１１Ｍ，１１１Ｃ，１１１Ｋ（以下、適宜、添え字Ｙ，Ｍ，Ｃ，Ｋを省略する。）を有する。また、画像形成装置１００は、作像部１１０の下方に設けられた記録媒体供給手段としての給紙部１２０と、給紙部１２０でピックアップされた記録媒体としての用紙を２次転写部１４０及び定着部１５０に搬送する給紙搬送路（縦搬送路）１３０とを備えている。更に、画像形成装置１００は、画像（トナー像）が定着された用紙を用紙処理装置２００側に搬送する排紙経路１６０と、第一面（表面）に画像が形成された用紙を反転して第二面（裏面）に画像形成させるための両面搬送路１７０とを備えている。
【００１１】
作像部１１０は、作像ステーション１１１のＹＭＣＫ各色用の像担持体としての感光体ドラムを備えている。各感光体ドラムの周囲には、その外周に沿って、帯電手段としての帯電ユニットと、現像手段としての現像ユニットと、１次転写ユニットと、クリーニングユニットと、除電手段としての除電ユニットとを備えている。また、作像部１１０は、露光手段としての図示しない光書き込みユニットと、中間転写体としての中間転写ベルト１１２とを備えている。光書き込みユニットは、各作像ステーション１１１の下側に配置され、各色ごとに、画像データに基づいて各感光体ドラムに光を照射して静電潜像を形成する。中間転写ベルト１１２は、作像ステーション１１１の上側に配置され、各感光体ドラムに形成された画像（トナー像）が１次転写ユニットによって転写される。
【００１２】
中間転写ベルト１１２は複数の支持ローラによって回転可能に支持されている。その複数の支持ローラのうちの１つの支持ローラ１１４は、２次転写部１４０で中間転写ベルト１１２を介して２次転写ローラ１１５と対向している。この２次転写部１４０で、中間転写ベルト１１２上の画像（トナー像）が用紙に２次転写される。中間転写ベルト１１２の上方には、交換可能なトナー収容容器１１６が配置されている。
【００１３】
なお、上記構成の画像形成装置（間接転写方式のタンデム型カラー画像形成装置）の画像形成プロセスは公知であり、本発明の要旨とは直接関係しないので、詳細な説明は省略する。
【００１４】
定着部１５０で定着処理された定着済みの用紙は、搬送ローラ１６２で搬送され、その搬送方向が搬送路切り換え部材１６１により切り換えられる。これにより、定着済みの用紙は、分岐排紙経路１６０又は両面搬送路１７０に搬送される。
【００１５】
図２は、本実施形態の画像形成システムを構成する用紙処理装置２００の内部及びその周辺の一構成例を示す概略構成図である。
用紙処理装置２００は、用紙搬送方向上流側から、入口ローラ対２０１と排紙搬送路２０２とシフト排紙ローラ対２０４とステープルトレイ２１９とを備える。更に、用紙処理装置２００は、用紙搬送方向下流側に向けて、叩きコロ２１１と後端基準フェンス２２０とジョガーフェンス２１２と排紙ローラ２０６と排紙ガイド板２０５と排紙トレイ２０３とを備える。すなわち、用紙処理装置２００の用紙受入れ部には、画像形成装置１００の分岐排紙経路１６０から用紙を受入れる入口ローラ対２０１が設けられている。入口ローラ対２０１で受入れた用紙は、排紙搬送路２０２を介してシフト排紙ローラ対２０４側に搬送される。シフト排紙ローラ対２０４は、排紙トレイ２０３に用紙をシフトして排紙する機能を有する。入口ローラ対２０１およびシフト排紙ローラ対２０４は、駆動源としてのステッピングモータからなる入口モータ２１６によって回転駆動される。これにより、排紙搬送路２０２に沿って用紙が搬送される。
【００１６】
また、排紙搬送路２０２には、用紙検知手段としての入口センサ２０７が配置されている。この入口センサ２０７により、排紙搬送路２０２に沿って搬送される用紙の先端と後端とが検知される。この用紙の先端及び後端の検知タイミングと、ステッピングモータからなる入口モータ２１６及び後述の排紙モータ２１７の駆動ステップ数とにより、各用紙処理を行う際のタイミングが制御されている。
【００１７】
ステープルトレイ２１９の排紙ローラ２０６側の端部には、用紙の詰まり（ジャム）を検知する用紙詰まり検知手段としてのジャムセンサ２１０が設けられている。また、ステープルトレイ２１９の後端基準フェンス２２０側の端部には、処理対象の用紙を検知する用紙センサ２１３が設けられている。また、ステープルトレイ２１９と後端基準フェンス２２０との間には、処理対象の用紙の搬送方向における整合性を保つ戻しコロ２１４が設けられている。
【００１８】
叩きコロ２１１は、図中の実線の位置と破線の位置との間で上下動可能に設けられ、駆動源としての排紙モータ２１７の駆動力により所定のタイミングで回転駆動される。
【００１９】
排紙トレイ２０３は、用紙排出方向下流側の固定部２０８ａと、用紙処理装置本体側の可動部２０８ｂとを有する。可動部２０８ｂは、駆動源としてのＤＣモータ２２１ａによって回転駆動されるカム２２１に連結され、揺動軸２２１ｃを中心に揺動するように制御可能になっている。例えば排紙方向後端部（図中の右側の端部）に綴じ処理した用紙束が複数排紙される場合、その用紙束の排紙方向後端部が嵩張って上方の反るおそれがある。その場合は、ＤＣモータ２２１ａを駆動することにより、可動部２０８ｂの用紙処理装置本体側を下げるように、揺動軸２２１ｃを中心に時計方向に揺動させる。これにより、排紙方向後端部に綴じ処理した用紙束を複数排紙する場合でも、その用紙束の最上面が上方に反るのを防止できる。また、可動部２０８ｂ上に排紙される用紙束の用紙処理装置本体側の排紙方向後端部は、ソレノイド２１８で揺動可能な押えレバー２０９の先端部で押さえることができる。
【００２０】
上記構成の用紙処理装置２００は、画像形成装置１００の本体制御部から通知される通紙モードに基づいて、用紙に対して綴じ処理などの所定の処理を施し、排紙トレイ２０３に用紙を排紙する。なお、本実施形態における「通紙モード」としては、用紙を搬送方向と直交する方向に仕分けして排紙するシフトモードと、複数枚の用紙を綴じて排紙するステープルモードとがあるが、これらのモードに限定されるものではない。
【００２１】
図３（ａ）〜（ｄ）は用紙処理装置２００のステープルモードにおける用紙受入れ・整合処理の一例を示す説明図である。
図３（ａ）はステープルモードで使用するステープルトレイ２１９、ステープラ２６３およびその周辺の主要な構成と、用紙受入・整合処理の動作とを示したものである。ここで、「ステープルモード」は、用紙を排紙する際に所定枚数毎に綴じ処理手段としてのステープラ２６３によって綴じ、綴じた用紙束を排紙するモードである。
【００２２】
前述の図２で示した排紙搬送路２０２の最下流に設けられたシフト排紙ローラ対２０４と、排紙トレイ２０３に排紙する直前に設けられた排紙ガイド板との間には、叩きコロ２１１が配置されている。叩きコロ２１１は例えばステッピングモータからなる排紙モータ２１７により上下方向に駆動される。より詳しくは、叩きコロ２１１は、上下動するレバー部分とコロ部分とからなり、コロ部分は排紙モータ２１７により用紙搬送方向（図中の左方向である排紙方向）とは逆方向に用紙を搬送するように回転駆動される。
【００２３】
用紙受入れ時は、図３（ｂ）に示すように、あらかじめステープラ２６３を待機位置に移動させ、ジョガーフェンス２１２を用紙受入れ位置に退避させておき、画像形成装置１００から用紙Ｐを受入れる。用紙後端がシフト搬送ローラ対２０４を通過したタイミングで叩きコロ２１１を下降させ、叩きコロ２１１のコロ部分で用紙Ｐをステープルトレイ２１９に押し付ける。更に、叩きコロ２１１のコロ部分を回転させ、用紙Ｐの後端の端面ｅ１が後端基準フェンス２２０に突き当たるまでスイッチバックさせる。ここで、叩きコロ２１１のコロ部分の回転駆動は、排紙モータ２１７によって行われ、排紙ローラ２０６と同一駆動である。
【００２４】
ジョガーフェンス２１２は、用紙Ｐのスイッチバックが完了するまで、搬送中およびスイッチバック中の用紙と接触しない位置で待機している。そして、用紙Ｐのスイッチバックが完了すると、叩きコロ２１１を上昇させ、ジョガーフェンス２１２を図３（ｃ）のように用紙幅方向に移動させる。これにより、ジョガーフェンス２１２の側面が用紙Ｐの端面ｅ２、ｅ３に当接して用紙Ｐを基準位置に揃えて整合させることができる。
【００２５】
戻しコロ２１４は、そのローラ軸２１４ａの外周にスポンジ部材２１４ｂを設けたスポンジコロである。戻しコロ２１４は入口モータ２１６により回転駆動され、ステープルトレイ２１９上にスタックされた用紙Ｐに当接し、後端基準フェンス２２０側への搬送力を与えることで、用紙Ｐの搬送方向の整合性を保つ。
【００２６】
用紙Ｐの整合が完了すると、図３（ｄ）に示すように、ジョガーフェンス２１２は次用紙の受入れに備えて用紙と接触しない位置まで退避する。
【００２７】
以降、整合・退避を繰り返し、指定枚数の用紙の搬送動作、スイッチバック動作、及び整合処理が完了した後、ステープラ２６３によって綴じ処理される。
【００２８】
図４は、用紙処理装置２００の綴じ手段としてのステープラ２６３を移動させる移動手段の一例を示す説明図である。ステープラ２６３は、正逆転可能なステープラ移動モータ２７１によりタイミングベルト２７２を介して駆動される。この駆動により、ステープラ２６３は、用紙Ｐの端面ｅ１の１箇所もしくは複数箇所（一般には２箇所）を綴じるため、ガイド軸２７５に沿って用紙幅方向に移動可能に構成される。ステープラ移動モータ２７１およびタイミングベルト２７２がステープラ２６３の移動手段として機能し、ステープラ２６３は少なくとも後端基準フェンス２２０によって支持される端面ｅ１の全幅に渡って移動可能となっている。ここで、ステープラ２６３の一部に設けられた被ガイド部２６３Ｂは、例えばガイド軸２７５に沿ってスライドするように構成されている。この被ガイド部２６３Ｂを間にしたステープラ２６３の両端部のうち、タイミングベルト２７２側の一方の端部側に設けられた被駆動部２６３Ａが、タイミングベルト２７２に固定されている。そして、ステープラ２６３のもう一方の端部側に、後述の被検知部としてのセンサフィラー２７４が設けられている。
【００２９】
ステープラ２６３の移動範囲の一端部側（図中の左側）には、ステープラ２６３の待機位置（ホームポジション）を検知する待機位置検知手段としてのステープラホームポジションセンサ（以下、「ステープラＨＰセンサ」という。）２７３が設けられている。また、ステープラ２６３には、ステープラＨＰセンサ２７３で検知される被検知部としてのセンサフィラー２７４が設けられている。ステープラＨＰセンサ２７３がステープラ２６３のセンサフィラー２７４を検知することにより、ステープラ２６３の待機位置（ホームポジション）を検出することができる。用紙Ｐの幅方向における所定の綴じ位置へステープラ２６３を移動させる制御は、センサフィラー２７４がステープラＨＰセンサ２７３の検知部を抜けた時点を基準にして行われる。すなわち、ステープラ２６３が動き始めた後にステープラＨＰセンサ２７３によってステープラ２６３のセンサフィラー２７４が検知されなくなった時点を基準にして行われる。つまり、センサフィラー２７４がステープラＨＰセンサ２７３の検知部を抜けてからステープラ２６３を所定の目標移動量だけ移動させるように制御する。いいかえると、ステープラ２６３が動き始めた後にステープラＨＰセンサ２７３によってステープラ２６３のセンサフィラー２７４が検知されなくなってから、ステープラ２６３を所定の目標移動量だけ移動させるように制御する。以上のようにステープラ２６３の移動を制御することにより、待機位置のステープラ２６３を、用紙Ｐの幅方向における所定の綴じ位置へ移動させることができる。
【００３０】
図５は、本実施形態の用紙処理装置２００のステープラ２６３の移動制御を行う制御系の要部構成の一例を示すブロック図である。用紙処理装置２００は、制御手段として、ＣＰＵ４０１、ＲＯＭ４０２、ＲＡＭ４０３、シリアルＩ／Ｆ４０４などを内蔵した制御手段としての制御部４００を備えている。制御のためのプログラムコードはＲＯＭ４０２に格納される。ＣＰＵ４０１はプログラムコードをＲＡＭ４０３に展開し、制御に必要なデータをＲＡＭ４０３に記憶し、ＲＡＭ４０３をワークエリアとして使用しながら前記プログラムコードによって定義される制御を実行する。これにより、ステープラ２６３の移動を制御することができる。
【００３１】
画像形成装置１００と用紙処理装置２００とは、シリアルＩ／Ｆ４０４を介して互いに通信できるように制御される。この通信制御により、画像形成装置１００から通紙される用紙サイズ情報や用紙処理装置２００の動作完了通知など、用紙処理に必要なコマンドをやり取りする。
【００３２】
なお、本実施形態では、ステープラ２６３を綴じ処理時の所定の移動速度（以下「綴じ位置移動速度」という。）Ｖ１で移動させたときの移動量を記憶する第１の記憶部しては、例えばＲＡＭ４０３が用いられる。また、ステープラ２６３を綴じ位置移動速度Ｖ１よりも低い後述の基準速度Ｖ２で移動させたときの移動量を記憶する第２の記憶部についても、例えばＲＡＭ４０３が用いられる。すなわち、ステープラ２６３を綴じ位置移動速度Ｖ１で移動させたときの移動量及び基準速度Ｖ２で移動させたときの移動量それぞれは、ＲＡＭ４０３に設定された所定の記憶領域に記憶することができる。なお、上記移動量を記憶する記憶手段としては、ＲＡＭ４０３のほか、制御部４００に設けられた他の内蔵メモリ、着脱自在のメモリカードやＵＳＢメモリなどの外部記憶媒体、磁気ディスクや光ディスクなどの外部記憶装置などを用いてもよい。また、ＣＰＵ４０１は、上記ＲＡＭなどの第１の記憶部及び第２の記憶部に記憶された移動量を比較する比較手段としても機能する。
【００３３】
図６（ａ）〜（ｇ）はステープラ２６３を綴じ位置移動速度Ｖ１及び基準速度Ｖ２でそれぞれ移動させたときのステープラ２６３の挙動について示す説明図である。
まず、ステープラ２６３が待機位置であるホームポジション（ＨＰ）から脱出する方向にステープラ移動モータ２７１を回転駆動させ、タイミングベルト２７２を回転させる。すると、図６（ａ）に示したタイミングベルト２７２の取り付け部である被駆動部２６３Ａが動かされ、ステープラ２６３移動し始める。
【００３４】
ここで、用紙処理装置２００の生産性を高くするため、ステープラ２６３を高速である綴じ位置移動速度Ｖ１で移動させる。このように高速移動すると、ステープラ２６３にかかる慣性力により、タイミングベルト２７２の取り付け部（被駆動部）２６３Ａの動きにステープラ２６３が全体としては追従しきれず、図６（ｂ）に示すようにステープラ２６３は傾いた状態で移動する。
【００３５】
ステープラ２６３が傾いた状態で移動し始める場合は、傾きがない状態で移動し始める場合よりも、ステープラＨＰセンサ２７３でステープラ２６３を検知しなくなるＯＦＦタイミングが遅れることになる。この傾きはステープラ２６３の移動を停止した際に解消される。そのため、ステープラＨＰセンサ２７３がＯＦＦしてから（すなわち、ステープラ２６３を検知しなくなってから）、所定の目標移動量Ｄ１だけ移動させて（図６（ｃ）参照）、ステープラ２６３の移動を停止したとき、ステープラ２６３が移動し過ぎた状態になる。つまり、ステープラ２６３の傾きによってステープラＨＰセンサ２７３のＯＦＦタイミングが遅れた分に相当する進み過ぎ移動量Ｄ１ｘが生じてしまう。（図６（ｄ）参照）。
【００３６】
そこで、上記進み過ぎ移動量Ｄ１ｘを求めるために、綴じ位置移動速度Ｖ１で任意の補正用目標移動量Ｄ１だけ移動させたときの位置から、ステープラ２６３に傾きを生じないよう綴じ位置移動速度Ｖ１よりも低速に設定した基準速度Ｖ２で移動を開始する。この移動開始からステープラＨＰセンサ２７３がＯＮして待機位置（ホームポジション）に復帰したときまでの移動量Ｄ１Ａ（図６（ｅ）参照）を得る。
【００３７】
ここで、上記「基準速度」Ｖ２は、ステープラ２６３の移動開始時にステープラ２６３に傾きを生じないように低速に設定されたステープラ２６３の移動速度である。つまり、言い換えると、上記「基準速度」Ｖ２は、ステープラ２６３が動き始めてからステープラＨＰセンサ２７３によってステープラ２６３が検知されなくなる時点までの遅れ時間が発生しないように低速に設定された移動速度である。この基準速度Ｖ２でステープラ２６３を移動させた場合は、例えばステープラ２６３の移動時間と基準速度Ｖ２との積から、ステープラ２６３が実際に移動した移動量（図６（ｅ）の例では移動量Ｄ１Ａ）がわかる。
【００３８】
次に、センサ遅れによる進み過ぎ移動量Ｄ１ｘを求める際の基準となる移動量を得るために、基準速度Ｖ２で動作させて、ステープラＨＰセンサ２７３のＯＦＦタイミングから所定の補正用目標移動量Ｄ１だけ移動させる（図６（ｆ）参照）。この位置から、基準速度Ｖ２でホームポジションに復帰させたときの移動量を得て、これを基準となる移動量Ｄ１Ｂとする（図６Ｇ）。
【００３９】
図７は、上記ステープラ２６の補正用の移動量Ｄ１Ａ、Ｄ１Ｂを記憶させるときのより詳細な処理シーケンスを示すフローチャートである。
まず、ステープラ移動モータ２７１を駆動させ、待機位置であるホームポジションに待機しているステープラ２６３を、綴じ位置移動速度Ｖ１でホームポジションから脱出する方向に移動開始する（Ｓ０００）。移動開始後、ステープラＨＰセンサ２７３がＯＦＦになるまで移動を継続し（Ｓ００１）、ステープラＨＰセンサ２７３がＯＦＦになったら、さらにステープラ２６３を、所定の補正用目標移動量Ｄ１だけ移動させる（Ｓ００２）。この補正用目標移動量Ｄ１だけ移動した位置でステープラ移動モータ２７１の駆動を一旦停止させ（Ｓ００３）、さらにホームポジションに復帰する方向に、ステープラ２６３に傾きが生じない基準速度Ｖ２でステープラ２６３を移動させる（Ｓ００４）。ステープラＨＰセンサ２７３がＯＮになるまで移動を継続し（Ｓ００５）、ステープラＨＰセンサ２７３がＯＮになったらステープラ移動モータ２７１の駆動を停止させる（Ｓ００６）。そして、ホームポジションへの復帰を開始してから、ステープラＨＰセンサ２７３がＯＮになるまで移動した移動量Ｄ１Ａを、ＲＡＭ４０３上に確保された領域である第１の記憶部に記憶する（Ｓ００７）。
【００４０】
次に、ホームポジションに復帰したステープラ２６３を、ステープラ２６３に傾きが生じない基準速度Ｖ２で、ホームポジションから脱出する方向に移動開始する（Ｓ０１０）。移動開始後、ステープラＨＰセンサ２７３がＯＦＦになるまで移動を継続し（Ｓ０１１）、ステープラＨＰセンサ２７３がＯＦＦになったら、さらにステープラ２６３を、所定の補正用目標移動量Ｄ１だけ移動させる（Ｓ０１２）。この補正用目標移動量Ｄ１だけ移動した位置でステープラ移動モータ２７１の駆動を一旦停止させ（Ｓ０１３）、さらにホームポジションに復帰する方向に基準速度Ｖ２で移動させる（Ｓ０１４）。ステープラＨＰセンサ２７３がＯＮになるまで移動を継続し（Ｓ０１５）、ステープラＨＰセンサ２７３がＯＮになったらステープラ移動モータ２７１の駆動を停止させる（Ｓ０１６）。そして、ホームポジションへの復帰を開始してから、ステープラＨＰセンサ２７３がＯＮになるまでに移動した移動量Ｄ１Ｂを、ＲＡＭ４０３上に確保された領域である第２の記憶部に記憶する（Ｓ０１７）。
【００４１】
以上の制御により、ステープラ２６３を所定の綴じ位置に移動させる際の目標移動量を決定するための情報（移動量Ｄ１Ａ、Ｄ１Ｂ）を記憶することができる。
【００４２】
図８は、上記補正用の移動量Ｄ１Ａ、Ｄ１Ｂを用いて決定した目標移動量に基づいてステープラ２６３を所定の綴じ位置に移動させるときの制御の一例を示すフローチャートである。
まず、ステープラ２６３の目標移動量Ｄ１１は、画像形成装置１００からシリアルＩ／Ｆ４０４を介して通知される用紙サイズ情報および綴じ位置情報により決定される（Ｓ１００、Ｓ１０１）。この目標移動量Ｄ１１は、ステープラ２６３の移動経路におけるホームポジション（待機位置）と綴じ位置との間の距離に対応する。
【００４３】
次に、制御部４００にあらかじめ記憶された、綴じ位置移動速度Ｖ１で移動した際の移動量Ｄ１Ａと基準速度Ｖ２で移動した際の移動量Ｄ１Ｂとが比較され、移動量Ｄ１Ａと移動量Ｄ１Ｂとの差分情報を得る。そして、上記目標移動量Ｄ１１と、移動量Ｄ１Ａと移動量Ｄ１Ｂとの差分情報とにより、ステープラ２６３を所定の綴じ位置に実際に移動する際の補正済目標移動量Ｄ１１Ａが決定される（Ｓ１０２）。例えば、補正済目標移動量Ｄ１１Ａは、Ｄ１１−（Ｄ１Ａ−Ｄ１Ｂ）の計算により決定される。
【００４４】
補正済移動量Ｄ１１Ａを決定したら、綴じ位置移動速度Ｖ１でステープラ２６３を移動開始し、ステープラＨＰセンサ２７３がＯＦＦになるまで移動を継続する（Ｓ１０４）。ステープラＨＰセンサ２７３がＯＦＦになったら、さらにステープラ２６３を、補正済目標移動量Ｄ１１Ａだけ移動させる（Ｓ１０５）。ステープラ２６３が補正済み目標移動量Ｄ１１Ａだけ移動した位置でステープラ移動モータ２７１の駆動を停止させることで（Ｓ１０６）、ステープラ２６３の綴じ位置への移動が完了する。
【００４５】
図９は、本実施形態の画像形成システムにおける電源ＯＮ時の初期動作の制御例を示すフローチャートである。
まず、用紙処理装置２００は、電源ＯＮ後、Ｉ／Ｏポートやタイマ・カウンタ等のＣＰＵ初期設定を行う（Ｓ２００）。その後、シリアルＩ／Ｆ４０４によって画像形成装置１００との通信が確立されると（Ｓ２０１）、画像形成装置１００からイニシャル動作（初期動作）の許可が通知されるのを待つ（Ｓ２０２）。イニシャル動作が許可されると、各種負荷の初期動作を開始し（Ｓ２０３）、用紙処理装置２００の各センサや負荷が正常に機能していることを確認する。このとき、前述の制御部４００（第１の記憶部および第２の記憶部）に補正用移動量Ｄ１Ａ、Ｄ１Ｂのデータを記憶させる制御（図７のＳ０００〜Ｓ０１７）をあわせて実施する。そして、これらの補正用移動量Ｄ１Ａ、Ｄ１Ｂのデータを記憶させて初期動作を完了する（Ｓ２０４）。
【００４６】
図１０は、本実施形態の画像形成システムにおける通紙完了後の停止動作の制御例を示すフローチャートである。
まず、用紙処理装置２００にステープルモードで通紙された用紙に対して、ステープラ２６３による綴じ処理を行う。そして、用紙束を排紙トレイ２０３に排出した後、画像形成装置１００は用紙処理装置２００に、シリアルＩ／Ｆ４０４を介して、装置を停止するよう通知する（Ｓ３００）。停止の通知を受け付けた用紙処理装置２００は、用紙処理を行うに駆動させた部材や装置などの各種負荷を所定の待機位置であるホームポジションに復帰させるためのホーミング動作を実行する（Ｓ３０１）。このホーミング動作の後、次回のステープルモードで通紙されたときのために、前述の制御部４００（第１の記憶部および第２の記憶部）に前述の補正用移動量Ｄ１Ａ、Ｄ１Ｂのデータを記憶させる制御（図７のＳ０００〜Ｓ０１７）を実施する。そして、これらの補正用移動量Ｄ１Ａ、Ｄ１Ｂのデータを記憶させて、停止制御を完了する（Ｓ３０２）。
【００４７】
以上に説明したものは一例であり、本発明は、次の態様毎に特有の効果を奏する。
（態様Ａ）
ホームポジションなどの待機位置と用紙を処理する綴じ位置などの用紙処理位置との間を移動可能に構成された綴じ手段（ステープラ２６３）などの用紙処理手段と、前記用紙処理手段を待機位置と用紙処理位置との間で移動させるステープラ移動モータ２７１及びタイミングベルト２７２などの移動手段と、待機位置に位置する用紙処理手段を検出するステープラホームポジションセンサ２７３などの待機位置検出手段と、待機位置から用紙処理位置に用紙処理手段を移動させるとき、用紙処理手段が動き始めた後に待機位置検出手段によって用紙処理手段が検知されなくなった時点から、用紙処理位置に対応する目標移動量だけ所定の移動速度Ｖ１で用紙処理手段を移動させるように、前記移動手段を制御する制御部４００などの制御手段と、を備えた用紙処理装置２００であって、前記制御手段は、用紙処理手段の移動経路における待機位置と用紙処理位置との間の距離Ｄ１１と、用紙処理手段が動き始めてから待機位置検出手段によって用紙処理手段が検知されなくなる時点までの遅れ時間に相当する用紙処理手段の移動距離（Ｄ１Ａ−Ｄ１Ｂ）とに基づいて、用紙処理位置に対する目標移動量を決定する。
これによれば、上記実施形態について説明したように、待機位置から用紙処理位置に用紙処理手段を移動させるとき、用紙処理手段が動き始めた後に待機位置検出手段によって用紙処理手段が検知されなくなった時点から、用紙処理位置に対応する目標移動量だけ移動速度Ｖ１で用紙処理手段を移動させる。このときの移動速度Ｖ１を、処理済み用紙の生産性を低下させないように高めにすると、用紙処理手段が動き始めてから待機位置検出手段によって用紙処理手段が検知されなくなる時点まで遅れ時間が発生するおそれがある。この遅れ時間が発生している間にも用紙処理手段は用紙処理位置に向かって移動する。このため、用紙処理手段が検知されなくなった時点から用紙処理手段を用紙処理位置まで移動させる目標移動量は、用紙処理手段の移動経路における待機位置と用紙処理位置との間の距離よりも、上記遅れ時間に相当する距離だけ短くなる。そこで、用紙処理手段が検知されなくなった時点からの目標移動量を、用紙処理手段の移動経路における待機位置と用紙処理位置との間の距離と前記遅れ時間に相当する用紙処理手段の移動距離とに基づいて決定する。このように決定した目標移動量だけ、用紙処理手段が検知されなくなる時点から用紙処理手段を上記移動速度Ｖ１で移動させることにより、用紙処理位置に用紙処理手段を精度よく位置させることができる。従って、用紙処理手段が動き始めてから待機位置検出手段によって用紙処理手段が検知されなくなった時点までに遅れが生じる場合であっても、用紙処理が行われた用紙の生産性を低下させることなく、高い位置精度で用紙処理を行うことができる。
（態様Ｂ）
上記態様Ａにおいて、前記綴じ手段（ステープラ２６３）などの用紙処理手段の移動量を記憶する制御部４００のＲＡＭ４０３など記憶手段を備え、制御部４００などの制御手段は、用紙処理手段が動き始めた後に待機位置検出手段によって用紙処理手段が検知されなくなった時点を基準にして、待機位置から任意の補正用目標移動量Ｄ１だけ移動速度Ｖ１で用紙処理手段を移動させ、その移動後の位置から、前記遅れ時間が発生しない程度まで移動速度Ｖ１よりも低く設定した基準速度Ｖ２で待機位置まで用紙処理手段を移動させたときの移動量Ｄ１Ａを、前記記憶手段に記憶させ、用紙処理手段が動き始めた後に待機位置検出手段によって用紙処理手段が検知されなくなった時点を基準にして、待機位置から前記補正用目標移動量Ｄ１だけ基準速度Ｖ２で用紙処理手段を移動させ、その移動後の位置から、前記遅れ時間が発生しない程度まで前記移動速度Ｖ１よりも低く設定した基準速度Ｖ２で待機位置まで用紙処理手段を移動させたときの移動量Ｄ１Ｂを、前記記憶手段に記憶させ、前記記憶手段に記憶している移動量Ｄ１Ａと移動量Ｄ１Ｂとの差分に基づいて、前記遅れ時間に相当する用紙処理手段の移動距離（Ｄ１Ａ−Ｄ１Ｂ）を算出する。
これによれば、上記実施形態について説明したように、前記待機位置から任意の補正用目標移動量Ｄ１だけ移動速度Ｖ１で用紙処理手段を移動させたときの移動量は、前記遅れ時間に相当する用紙処理手段の移動距離を含む。この移動量は、移動後の位置から上記低速の基準速度Ｖ２で待機位置まで用紙処理手段を移動させたときの移動量Ｄ１Ａに対応する。一方、前記待機位置から任意の補正用目標移動量Ｄ１だけ上記低速の基準速度Ｖ２で用紙処理手段を移動させたときの移動量は、前記遅れ時間に相当する用紙処理手段の移動距離を含まない。この移動量は、移動後の位置から上記低速の基準速度Ｖ２で待機位置まで用紙処理手段を移動させたときの移動量Ｄ１Ｂに対応する。これらの移動量Ｄ１Ａと移動量Ｄ１Ｂとの差分（Ｄ１Ａ−Ｄ１Ｂ）により、前記遅れ時間に相当する用紙処理手段の移動距離（Ｄ１Ａ−Ｄ１Ｂ）を精度よく算出できる。以上のように、用紙処理手段を待機位置から任意の補正用目標移動量Ｄ１だけ移動させ待機位置に戻す動作を２回繰り返す用紙処理手段の簡易な動作により、前記遅れ時間に相当する用紙処理手段の移動距離（Ｄ１Ａ−Ｄ１Ｂ）を精度よく算出できる。
（態様Ｃ）
上記態様Ｂにおいて、前記制御部４００などの制御手段は、前記移動量Ｄ１Ａ及び移動量Ｄ１Ｂの情報を取得してＲＡＭ４０３など記憶手段に記憶させる動作を、当該用紙処理装置の電源ＯＮ時に実行する。
これによれば、上記実施形態について説明したように、用紙処理装置の使用開始時から、用紙処理が行われた用紙の生産性を低下させることなく高い位置精度で用紙処理を行うことができるようになる。また、電源ＯＮした後、前記移動量Ｄ１Ａ及び移動量Ｄ１Ｂを記憶させる動作を、その動作のために個別に設定したタイミングで実行させる必要がない。
（態様Ｄ）
上記態様Ｂにおいて、前記制御部４００などの制御手段は、前記移動量Ｄ１Ａ及び移動量Ｄ１Ｂの情報を取得してＲＡＭ４０３など記憶手段に記憶させる動作を、前記用紙の処理が完了した後の停止制御時に実行する。
これによれば、上記実施形態について説明したように、前記用紙の処理が完了するたびに、前記移動量Ｄ１Ａ及び移動量Ｄ１Ｂを記憶させる動作を行って更新することができる。従って、前記遅れ時間に相当する用紙処理手段の移動距離（Ｄ１Ａ−Ｄ１Ｂ）が経時的に変化する場合でも、その移動距離（Ｄ１Ａ−Ｄ１Ｂ）を精度よく算出できる。また、前記移動量Ｄ１Ａ及び移動量Ｄ１Ｂを記憶させる動作を、その動作のために個別に設定したタイミングで実行させる必要がない。
（態様Ｅ）
上記態様Ａ、Ｂ、Ｃ又はＤにおいて、前記移動手段は、ステープラ２６３などの用紙処理手段の移動を案内するガイド軸２７５などの案内部材と、用紙処理手段の案内部材で案内される位置とは異なる位置を駆動するように設けられたステープラ移動モータ２７１やタイミングベルト２７２などの駆動手段と、を備え、前記ステープラホームポジションセンサ２７３などの待機位置検出手段は、用紙処理手段が待機位置に位置するとき、用紙処理手段の案内部材で案内される位置を間にして前記駆動手段で駆動される被駆動部２６３Ａとは反対側に設けられたセンサフィラー２７４などの被検知部を検知するように設けられている。
これによれば、上記実施形態について説明したように、用紙処理手段の案内部材で案内される位置を間にして、駆動手段による駆動部が、用紙処理手段の一方の端部に位置し、待機位置検出手段で検知される被検知部、用紙処理手段のもう一方の端部に位置する。このような構成の用紙処理手段を上記移動速度Ｖ１で移動し始めるとき、用紙処理手段に作用する慣性力により、被駆動部の動きに用紙処理手段が全体としては追従しきれず、用紙処理手段が傾いた状態で移動する。このため、用紙処理手段が移動し始めてから被検知部が検知されなくなるまでの遅れ時間が発生しやすい。このように遅れ時間が発生しやすい構成においても、用紙処理が行われた用紙の生産性を低下させることなく、高い位置精度で用紙処理を行うことができる。
（態様Ｆ）
上記態様Ａ、Ｂ、Ｃ、Ｄ又はＥにおいて、前記用紙処理手段は、複数の用紙からなる用紙束に綴じ処理を行う綴じ手段である。これによれば、上記実施形態について説明したように、綴じ処理が行われた用紙の生産性を低下させることなく、高い位置精度で綴じ処理を行うことができる。
（態様Ｇ）
画像形成システムにおいて、用紙に画像を形成する画像形成装置１００と、画像形成装置１００で画像が形成された用紙を処理可能な上記態様態様Ａ、Ｂ、Ｃ、Ｄ、Ｅ又はＦの用紙処理装置２００とを備える。これによれば、上記実施形態について説明したように、画像が形成された用紙を処理した処理済みの用紙の生産性を低下させることなく、画像が形成された用紙に対して高い位置精度で綴じ処理を行うことができる。
【００４８】
なお、上記実施形態では、用紙処理手段として用紙束に綴じ処理を行う綴じ手段（ステープラ）を備えた場合について説明したが、本発明は、綴じ処理以外の用紙処理を行う用紙処理手段を備えた用紙処理装置及び画像形成システムについても適用できる。例えば、本発明は、待機位置から用紙処理位置に移動してパンチ孔あけ処理（穿孔処理）などを行う用紙処理手段を備えた用紙処理装置及び画像形成システムについても適用できる。
また、上記実施形態では、画像形成装置１００としてタンデム型カラー画像形成装置を備えた画像形成システムの場合について説明したが、本発明は、他のタイプのカラー画像形成装置やモノクロ画像形成装置を備えた画像形成システムについても適用できる。また、本発明は、用紙処理装置と組み合わせる画像形成装置の種類に限定されることなく適用することができ、例えば、画像形成装置が複写機、プリンタ、ＦＡＸ、複合機などである場合にも適用できる。
【符号の説明】
【００４９】
１００  画像形成装置
１１０  作像部
１１１  作像ステーション
１２０  給紙部
１３０  給紙搬送路
１５０  定着部
２００  用紙処理装置
２６３  ステープラ
２６３Ａ  被駆動部（タイミングベルトの取り付け部）
２６３Ｂ  被ガイド部
２７１  ステープラ移動モータ
２７２  タイミングベルト
２７３  ステープラホームポジションセンサ（ステープラＨＰセンサ）
２７４  センサフィラー
４００  制御部
【先行技術文献】
【特許文献】
【００５０】
【特許文献１】実開昭６２−０３５８６３号公報
【図１】
2014088233.tif 000003
【図２】
2014088233.tif 000004
【図３】
2014088233.tif 000005
【図４】
2014088233.tif 000006
【図５】
2014088233.tif 000007
【図６】
2014088233.tif 000008
【図７】
2014088233.tif 000009
【図８】
2014088233.tif 000010
【図９】
2014088233.tif 000011
【図１０】
2014088233.tif 000012